(57)【要約】【課題】  外径の異なる棒状部材を簡易かつ適切に結束することが可能である結束具を提供する。【解決手段】  筒状体１０を備える、複数の棒状部材（竹材７１）を結束するための結束具Ｋ１において、上記筒状体は、複数個の連結具（連結ボルト８１）の貫通孔１６と、各々の貫通孔に対向する部位に形成されている、複数個の連結具の装着孔１７と、を有し、当該装着孔に連結具を固定可能となるように形成されている構成とした。【選択図】      図１
2017180547.tif 000002
【特許請求の範囲】
【請求項１】
筒状体を備える、複数の棒状部材を結束するための結束具において、
前記筒状体は、
複数個の連結具の貫通孔と、
前記各々の貫通孔に対向する部位に形成されている、複数個の前記連結具の装着孔と、を有し、
前記装着孔に前記連結具を固定可能となるように形成されていることを特徴とする結束具。
【請求項２】
筒状体を備える、複数の棒状部材を結束するための結束具において、
前記筒状体は、複数個の連結具の装着孔を有し、
前記装着孔には、一面側の開口部から前記連結具を挿通する際において、当該連結具を誘導するための案内孔が連設されており、
前記装着孔に前記連結具を固定可能となるように形成されていることを特徴とする結束具。
【請求項３】
筒状体を備える、複数の棒状部材を結束するための結束具において、
前記筒状体は、高さ方向における２層の帯状部から形成されており、
前記２層の帯状部は、
複数個の連結具の第１の装着孔を有し、かつ、前記第１の装着孔には、一面側の開口部から前記連結具を挿通する際において、当該連結具を誘導するための案内孔が連設されている第１帯状部と、
複数個の連結具の貫通孔と、
前記各々の貫通孔に対向する部位に形成されている、複数個の前記連結具の第２の装着孔と、を有する第２帯状部と、を有し、
前記各装着孔の部分において、前記連結具を固定可能となるように形成されていることを特徴とする結束具。
【請求項４】
筒状体を備える、複数の棒状部材を結束するための結束具において、
前記筒状体は、高さ方向における２層の帯状部から形成されており、
前記２層の帯状部は、
複数個の連結具の第１の装着孔を有し、かつ、前記第１の装着孔には、一面側の開口部から前記連結具を挿通する際において、当該連結具を誘導するための第１の案内孔が連設されている第１帯状部と、
複数個の連結具の第２の装着孔を有し、かつ、前記第２の装着孔には、一面側の開口部から前記連結具を挿通する際において、当該連結具を誘導するための第２の案内孔が連設されている第２帯状部と、を有し、
前記各装着孔の部分において、前記連結具を固定可能となるように形成されていることを特徴とする結束具。
【請求項５】
筒状体を備える、複数の棒状部材を結束するための結束具において、
前記筒状体は、高さ方向における３層以上である複数層の帯状部から形成されており、
前記帯状部は、少なくとも、
複数個の連結具の第１の装着孔を有し、かつ、前記第１の装着孔には、一面側の開口部から前記連結具を挿通する際において、当該連結具を誘導するための案内孔が連設されている第１帯状部と、
複数個の連結具の貫通孔と、
前記各々の貫通孔に対向する部位に形成されている、複数個の前記連結具の第２の装着孔と、を有する第２帯状部と、
複数個の連結具の第３の装着孔を有し、かつ、前記第３の装着孔には、一面側の開口部から前記連結具を挿通する際において、当該連結具を誘導するための他の案内孔が連設されている第３帯状部と、を有し、
前記各装着孔の部分において、前記連結具を固定可能となるように形成されていることを特徴とする結束具。
【請求項６】
所定数の棒状部材と、請求項１乃至請求項５のいずれか１項に記載の結束具とを備える複脚構造体であって、
前記各棒状部材は、前記連結具を挿通するための連結具挿通孔を備え、
前記結束具の前記各装着孔と、前記連結具挿通孔とに、前記連結具が挿入された状態で前記棒状部材と前記筒状体とが固定されていることを特徴とする複脚構造体。
【請求項７】
所定数の連結具と、所定数の前記連結具を挿通するための連結具挿通孔を備える棒状部材と、請求項１乃至請求項５のいずれか１項に記載の結束具とを備えることを特徴とする複脚構造体の組み立てキット。
【発明の詳細な説明】
【技術分野】
【０００１】
本発明は、複数の棒状部材を結束するための結束具並びに当該結束具を用いた複脚構造体及びその組立キットに関する。
【背景技術】
【０００２】
棒状部材である３本の脚部材を結束することにより形成される三脚は、設置面が平坦でなくても安定して設置することが可能である。そのため、天板等を載置して机や椅子とすることや、ランタンや吊り鍋調理用の吊支具として利用するなど、キャンプ等のアウトドアの場面で活用されている。
【０００３】
このような従来の三脚類似の構造体として、複数本の管体（脚部材）と、各管体の一端部付近に各々穿設されたボルト挿通孔を貫通する連結具（例えば、三又ボルト等）を有する複脚構造体が提案されている（特許文献１参照）。
【先行技術文献】
【特許文献】
【０００４】
【特許文献１】特開平８−４２７８５号公報
【発明の概要】
【発明が解決しようとする課題】
【０００５】
従来の複脚構造体において、結束する管体の外径は、その用途に応じて異なっており、想定している連結具の長さを超える外径の脚部材の結束ができない。そこで、この問題に対応するために、外径の異なる管体を取付ける際には、各管体の外形に適合した長さの連結具を別途準備することや、その長さに許容性を持たせた連結具を使用することが必要であった。
【０００６】
しかし、前者の場合に、種々の寸法の連結具を準備しておくことは、非常に煩雑であるという問題を有していた。また、後者の場合には、オーバースペックになるばかりでなく、意匠性に優れず、収納時に連結部が突出して邪魔になるなどの問題点を有していた。
【０００７】
本発明は、このような問題点を解決し、外径の異なる棒状部材を簡易かつ適切に結束することができる結束具並びに当該結束具を用いた複脚構造体及びその組立キットを提供することを目的としている。
【課題を解決するための手段】
【０００８】
上記目的を達成するための本発明の結束具は、筒状体を備える、複数の棒状部材を結束するための結束具において、上記筒状体は、複数個の連結具の貫通孔と、上記各々の貫通孔に対向する部位に形成されている、複数個の上記連結具の装着孔とを有し、上記装着孔に上記連結具を固定可能となるように形成されていることを特徴とするものである。
【０００９】
ここで、棒状部材とは、所定の長さを有する長寸法の部材であり、脚部を構成する脚部材、管部材等を含むものである。この棒状部材は、材質等に制限はなく、金属製、合成樹脂製の他、竹材、木材等であってもよい。
また、連結具には、各種のボルトを使用することが一般的であるが、結束具と棒状部材を固定することができる機能を有する部材であれば、その他の金具等を用いるものであってもよい。
【００１０】
また、筒状体には、円筒体、多角筒体等が含まれるものである。さらに、筒状体の高さ寸法に関しても、各種の貫通孔及び挿通孔の形成に影響がない範囲で適切に設定可能であり、環状体に近似する形態であってもよい。
【００１１】
本発明の結束具によれば、貫通孔と、当該貫通孔に対向する部位に形成されている連結具の装着孔とを有しているため、筒状体の外側から上記連結具の装着孔に連結具を固定し易い構造となっている。したがって、並列に立設させた複数本の棒状部材を、容易に結束することができる。
【００１２】
また、本発明の結束具は、筒状体を備える、複数の棒状部材を結束するための結束具において、上記筒状体は、複数個の連結具の装着孔を有し、上記装着孔には、一面側の開口部から上記連結具を挿通する際において、当該連結具を誘導するための案内孔が連設されており、上記装着孔に上記連結具を固定可能となるように形成されていることを特徴としている。
【００１３】
ここで、案内孔は、連結具を、筒状体の側壁面に形成されている装着孔に対して、上面又は下面における開口部から斜め方向に向かって挿入する際に、当該連結具の動きを一定方向に規制し、その作業をし易くする目的で設けられるものである。その形状は限定されるものではなく、半円形や楕円形状とすることが特に好適である。
【００１４】
本発明の結束具によれば、連結具の装着孔に、連結具を誘導するための案内孔が連設されているため、当該連結具を筒状体の開口部から案内孔に沿って挿通し、その後、適宜のタイミングでその向きを変えることにより、連結具の装着孔に挿通しやすくなっている。そのため、上記連結具の装着孔に連結具を固定することにより、並列に立設させた複数本の棒状部材を結束することができる。
【００１５】
また、本発明の結束具は、筒状体を備える、複数の棒状部材を結束するための結束具において、上記筒状体は、高さ方向における２層の帯状部から形成されており、上記２層の帯状部は、複数個の連結具の第１の装着孔を有し、かつ、上記第１の装着孔には、一面側の開口部から上記連結具を挿通する際において、当該連結具を誘導するための案内孔が連設されている第１帯状部と、複数個の連結具の貫通孔と、上記各々の貫通孔に対向する部位に形成されている、複数個の上記連結具の第２の装着孔と、を有する第２帯状部とを有し、上記各装着孔の部分において、上記連結具を固定可能となるように形成されていることを特徴としている。
【００１６】
本発明の結束具によれば、２層の帯状部を備えており、各帯状部における装着孔の種類、数、形状、寸法等の形態（以下、「形態等」という。）を変えることにより、１種類の結束具で、種々の連結具の規格に対応させて、並列に立設させた複数本の棒状部材を結束することができるため、より利便性を高めることができる。
【００１７】
また、本発明の結束具は、筒状体を備える、複数の棒状部材を結束するための結束具において、上記筒状体は、高さ方向における２層の帯状部から形成されており、上記２層の帯状部は、複数個の連結具の第１の装着孔を有し、かつ、上記第１の装着孔には、一面側の開口部から上記連結具を挿通する際において、当該連結具を誘導するための第１の案内孔が連設されている第１帯状部と、複数個の連結具の第２の装着孔を有し、かつ、上記第２の装着孔には、一面側の開口部から上記連結具を挿通する際において、当該連結具を誘導するための第２の案内孔が連設されている（接続して設けられている）第２帯状部とを有し、上記各装着孔の部分において、上記連結具を固定可能となるように形成されていることを特徴としている。
【００１８】
ここで、第１及び第２の装着孔の形態は、同一であっても異なるものであっても良いが、利便性を高めるためには、その形態等を変えることが好適である。また、第１及び第２の案内孔の形態及び向きに関しても、その機能を阻害しなければその態様に制限はないが、案内孔の向きを変えることにより、結束具の上面又は下面のいずれの方向からも連結具を挿入し易くなるため好適である。
【００１９】
本発明の結束具によれば、２層の帯状部を備えており、各帯状部における装着孔の形態を変えることにより、１種類の結束具で、種々の連結具の規格に対応させて、並列に立設させた複数本の棒状部材を結束することができるため、より利便性を高めることができる。
【００２０】
また、本発明の結束具は、筒状体を備える、複数の棒状部材を結束するための結束具において、上記筒状体は、高さ方向における３層以上である複数層の帯状部から形成されており、上記帯状部は、少なくとも、複数個の連結具の第１の装着孔を有し、かつ、上記第１の装着孔には、一面側の開口部から上記連結具を挿通する際において、当該連結具を誘導するための案内孔が連設されている第１帯状部と、複数個の連結具の貫通孔と、上記各々の貫通孔に対向する部位に形成されている、複数個の上記連結具の第２の装着孔と、を有する第２帯状部と、複数個の連結具の第３の装着孔を有し、かつ、上記第３の装着孔には、一面側の開口部から上記連結具を挿通する際において、当該連結具を誘導するための他の案内孔が連設されている第３帯状部とを有し、上記各装着孔の部分において、上記連結具を固定可能となるように形成されていることを特徴としている。
【００２１】
ここで、帯状部は３層以上であれば、その層数は問わないものであり、第１帯状部又は第２帯状部、或いは第３帯状部と同様の構成要素から形成される他の帯状部（貫通孔と、挿通孔の形態等が異なるもの）をさらに、有する構成とするものであってもよい。
また、各帯状部の配置に関しては必ずしも制限があるものではないが、第２帯状部及び第３帯状部は、連結具の挿通し易い筒状体の各開口部に近い側に配置することがより好ましい。
【００２２】
本発明の結束具によれば、３層の帯状部を備えており、各帯状部における装着孔の形態等を変えることにより、１種類の結束具で、種々の連結具の規格に対応させて、並列に立設させた複数本の棒状部材を結束することができるため、さらに利便性を高めることができる。
【００２３】
また、本発明の複脚構造体は、所定数の棒状部材と、上記の各結束具とを備える複脚構造体であって、上記各棒状部材は、上記連結具を挿通するための連結具挿通孔を備え、上記結束具の上記各装着孔と、上記連結具挿通孔とに、上記連結具が挿入された状態で上記棒状部材と上記筒状体とが固定されていることを特徴としている。
【００２４】
ここで、複脚構造体とは、複数本の棒状部材を脚部とする簡易な構造体を意味するものである。上記棒状部材の本数には制限はないが、安定性や経済性等を考慮すると、３脚又は４脚等に利用される場合が多いものである。
【００２５】
また、本発明は、椅子、テーブルなどの家具や、各種のアウトドア用品等の多用途の構造体として使用可能である。さらに、結束具の位置も制限されるものではなく、複脚構造体の用途に応じて、棒状部材の頂部（その近傍も含む）、中間部等、適切な位置に設けることができる。
【００２６】
さらに、本発明の複脚構造体の組立キットは、所定数の連結具と、所定数の上記連結具を挿通するための連結具挿通孔を備える棒状部材と、上記各結束具とを備えることを特徴としている。
【００２７】
上記のとおり、本発明の結束具及び複脚構造体の組立キットを用いることにより、簡易に複脚構造体を形成することができる。
【発明の効果】
【００２８】
本発明によれば、外径の異なる棒状部材を簡易かつ適切に結束可能である結束具並びに当該結束具を用いた複脚構造体及びその組立キットを提供することができる。
【図面の簡単な説明】
【００２９】
【図１】（ａ）は、本発明の結束具（第１実施形態）を示す斜視図であり、（ｂ）は、展開図である。
【図２】本発明の結束具を使用した複脚構造体（第１実施形態）を示す斜視図である。
【図３】本発明の結束具を使用した複脚構造体（第１実施形態）を示す平面図である。
【図４】（ａ）は、本発明の結束具（第２実施形態）を示す斜視図であり、（ｂ）は、展開図である。
【図５】本発明の結束具を使用した複脚構造体（第２実施形態）を示す斜視図である。
【図６】（ａ）は、本発明の結束具（第３実施形態）を示す斜視図であり、（ｂ）は、展開図である。
【図７】（ａ）は、本発明の結束具（第４実施形態）を示す斜視図であり、（ｂ）は、展開図である。
【図８】（ａ）は、本発明の結束具（第５実施形態）を示す斜視図であり、（ｂ）は、展開図である。
【図９】本発明の結束具を使用した複脚構造体（第３実施形態）を示す斜視図である。
【図１０】本発明の結束具を使用した複脚構造体（第４実施形態）を示す斜視図である。
【図１１】本発明の結束具を使用した複脚構造体（第５実施形態）を示す斜視図である。
【発明を実施するための形態】
【００３０】
以下、図面を参照しつつ、本発明の結束具（以下、「本結束具」という場合がある。）及び複脚構造体（以下、「本複脚構造体」という場合がある。）の実施形態の一例について詳細に説明する。なお、図面に基づく説明においては、同一要素には同一符号を付し、重複する説明を省略する。
【００３１】
［第１実施形態］
（１）本結束具の構成
図１（ａ），（ｂ）に示すように、本結束具Ｋ１は、３本までの棒状部材（竹材７１）を結束するために用いられるものであり、中空の円柱形状である筒状体１０を主要部としている。
【００３２】
上記筒状体１０の側面部には、同一の高さにおいて、周方向に等間隔となるように３箇所（筒状体１０の中心を基準として、等しい角度である１２０度の位置）に円孔である連結具貫通孔１６が形成されている。連結具貫通孔１６の直径は、連結ボルト８１（連結具）の頭部８１ａが通過できる寸法に形成されている。
【００３３】
各々の上記連結具貫通孔１６に対向する部位には、正方形孔である連結具装着孔１７が形成されている。連結具装着孔１７は、連結ボルト８１の先端のネジ部８１ｂを貫通させることができる一方、頭部８１ａを通過させずに固定できる寸法に形成されている。このような構成により、連結ボルト８１を筒状体１０の外側から連結具貫通孔１６を通して、連結具装着孔１７に向けて挿入し、固定することができるようになっている。
なお、連結ボルト８１の頭部８１ａに接続する筒部８１ｃは、連結具装着孔１７に嵌合するように直方体形状に形成されている。
【００３４】
（２）本複脚構造体の構成
続いて、上記結束具Ｋ１を使用した本複脚構造体Ｆ１の構成を説明する。
図２に示すように、本複脚構造体Ｆ１は、アウトドア用品であるランタン８７を吊り下げるための三脚である。
【００３５】
本複脚構造体Ｆ１は、同一長さ（所定長）である自生する３本の竹材７１を用いて形成されている。各竹材７１の所定高さ位置には、連結ボルト８１の先端のネジ部８１ｂを挿通して貫通させるための円孔である連結具挿通孔７１ａが設けられている。
【００３６】
図３に示すように、上記本結束具Ｋ１は、平面視で中央部に配置され、本結束具Ｋ１（円筒体１０）の中心を基準として１２０度の角度となる位置関係で、隣接する竹材７１が配設されている。そして、各竹材７１の連結具挿通孔７１ａと、本結束具Ｋ１の連結具装着孔１７とを一致させた状態で、本結束具Ｋ１の内側から連結ボルト８１が挿通されている。そして、連結具装着孔１７に連結ボルト８１の筒部８１ｃが嵌装され、本結束具Ｋ１の内周壁の部分に連結ボルト８１の頭部８１ａが当接した状態で、竹材７１の外側面に蝶ナット８２が締結されることにより、本結束具Ｋ１と各竹材７１が一体的に結束されている。
【００３７】
（３）本結束具の使用方法
次に、上記本結束具Ｋ１を使用して、上記複脚構造体Ｆ１を作成するため方法を説明する。
【００３８】
まず、本結束具Ｋ１の外側から各連結具貫通孔１６を通して、３本の連結ボルト８１を連結具装着孔１７に挿通する。次に、３本の竹材７１の各連結具挿通孔７１ａに連結ボルト８１を挿通し、蝶ナット８２を用いて、当該連結ボルト８１を固定して各竹材７１を一体的に結束することで、本複脚構造体Ｆ１を作成することができる（図２）。
【００３９】
一方、本複脚構造体Ｆ１は、連結ボルト８１及び蝶ナット８２の締結を弱めることにより、竹材７１の立設角度の調整や、取り外しを容易に行うことができる。
【００４０】
（４）本結束具及び本複脚構造体の作用効果
本結束具Ｋ１によれば、連結具装着孔１７が設けられている筒状体１０を用い、連結具装着孔１７に連結ボルト８１を固定することにより、容易に立設させた３本の各竹材７１を結束することができる。加えて、筒状体１０には、連結ボルト８１を貫通させることができる連結具貫通孔１６が設けられており、当該連結具貫通孔１６に対向する部位に連結具装着孔１７が設けられているため、連結ボルト８１を連結具装着孔１７に挿入させる作業を効率的に行うことができる。
【００４１】
また、本複脚構造体Ｆ１に使用する竹材７１には、連結具挿通孔７１ａが形成されていれば良いことから、現地で入手できる自然の素材に穿設加工をすることにより、簡易に作成することができる。したがって、本結束具Ｋ１と、連結ボルト８１及び蝶ナット８２を持参することで、手軽にアウトドア活動を楽しむことができる。
【００４２】
［第２実施形態］
（１）本結束具の構成
図４（ａ），（ｂ）に示すように、本結束具Ｋ２は、４本までの棒状部材（スチール製の管材７２）を結束するために用いられるものであり、中空の円柱形状である筒状体２０を主要部としている。
【００４３】
上記筒状体２０の側面部には、同一の高さにおいて、周方向に等間隔となるように４箇所（筒状体２０の中心を基準として、等しい角度である９０度の位置）に正方形孔である連結具装着孔２８が形成されている。連結具装着孔２８は、連結ボルト８１の先端のネジ部８１ｂを貫通させることができる一方、その頭部８１ａを通過させずに固定できる寸法に形成されている。
なお、連結ボルト８１の頭部８１ａに接続する筒部８１ｃは、連結具装着孔２８に嵌合するように直方体形状に形成されている。
【００４４】
上記連結具装着孔２８には、上面側の開口部から連結ボルト８１を挿通可能となるように、その下側に半円形状の案内孔２８ａが、円弧部が下向きに連設されている。このような構成により、連結ボルト８１のネジ部８１ｂを、筒状体２０の上面部から内側の案内孔２８ａに向けて斜め方向から挿通し、所定長の挿通が終了した段階でその向きを水平方向に変えることにより、連結具装着孔２８に向けて挿入し易くなるように形成されている。
【００４５】
（２）本複脚構造体の構成
続いて、上記結束具Ｋ２を使用した本複脚構造体Ｆ２の構成を説明する。
図５に示すように、本複脚構造体Ｆ２は、アウトドア用品である鍋８８を吊り下げるための四脚である。
【００４６】
この本複脚構造体Ｆ２は、同一長さ（所定長）である４本の管材７２を備えている。この管材７２の上端部には、筒体状であるジョイント金具７７が被嵌されている。このジョイント金具７７の先端部には、連結ボルト８１の先端のネジ部８１ｂを挿通して貫通させるための円孔である連結具挿通孔７７ａが形成されている。
【００４７】
上記本結束具Ｋ２は、平面視で中央部に配置され、本結束具Ｋ２の筒状体２０の中心を基準として、９０度の角度となる位置関係で、隣接する管材７２が配設されている。各管材７２のジョイント金具７７の連結具挿通孔７７ａと、本結束具Ｋ２の連結具装着孔２８とを一致させた状態で、本結束具Ｋ２の内側から外側に向かって連結ボルト８１が挿通されている。そして、連結具装着孔２８に連結ボルト８１の筒部８１ｃが嵌装され、本結束具Ｋ２の内周壁の部分に連結ボルト８１の頭部８１ａが当接した状態で、管材７２のジョイント金具７７の外側に蝶ナット８２が締結されることにより、本結束具Ｋ２と各管材７２が一体的に固定されている。
【００４８】
なお、符号７８は、各スチール管材を接地面に安定的に設置するためのスパイク金具であり、符号８９は、鍋８８を吊下げるためのチェーンである。
【００４９】
（３）本結束具の使用方法
次に、上記本結束具Ｋ２を使用して、上記複脚構造体Ｆ２を作成するため方法を説明する。
【００５０】
まず、４本の連結ボルト８１を、本結束具Ｋ２の上面開口部の内側から斜め下方に向けて、案内孔２８ａを利用しながら連結具装着孔２８に挿通する。次に、４本の管材７２におけるジョイント金具７７の連結具挿通孔７７ａに、連結ボルト８１を挿通し、蝶ナット８２を用いて当該連結ボルト８１を固定して、各管材７２を一体的に結束することで、複脚構造体Ｆ２を作成することができる（図５）。
【００５１】
（４）本結束具及び本複脚構造体の作用効果
本結束具Ｋ２によれば、連結具装着孔２８に、連結ボルト８１を誘導するための案内孔２８ａが連設されているため、当該連結ボルト８１を筒状体２０の上面の開口部から案内孔２８ａに沿って挿通し、その後、適宜のタイミングでその向きを変えることにより、連結具装着孔２８に挿通しやすくなっている。そのため、上記連結具装着孔２８に連結ボルト８１を固定することにより、立設させた４本の管材７２を結束することができる。また、本複脚構造体Ｆ２に使用する管材７２の先端部には、予めジョイント金具７７が取り付けられているため、その組み立てを、より正確かつ容易に行うことができる。
【００５２】
［第３実施形態］
（１）本結束具の構成
図６（ａ），（ｂ）に示すように、本結束具Ｋ３は、４本までの管材を結束するために用いられるものであり、中空の円柱形状である筒状体３０を主要部としている。
【００５３】
上記筒状体３０は、高さ方向における層厚が略同一である２層の第１帯状部３１及び第２帯状部３２から形成されている。
上部の第１帯状部３１には、第２実施形態の結束具Ｋ２と同様の形態で、第１連結具装着孔３８と第１案内孔３８ａが設けられている。また、下部の第２帯状部３２には、第１実施形態の結束具Ｋ１と同様の形態で、連結具貫通孔３６と第２連結具装着孔３７が設けられている。また、展開図６（ｂ）に示すように、中央部の第１連結具装着孔３８Ａと連結具貫通孔３６Ａの水平位置が一致するように配置されている。
【００５４】
（２）本結束具の作用効果
上記のように、本結束具Ｋ３は、４本までの管材を結束することができることに特徴を有しており、その作用効果を説明する。
【００５５】
例えば、３本の管材７３を結束する場合には、本結束具Ｋ３の外側から各連結具貫通孔３６を通して、３本の連結ボルト８１を、第２帯状部３２の第２連結具装着孔３７に挿通する。そして、３本の管材７３の各連結具挿通孔７３ａに連結ボルト８１を挿通し、蝶ナット８２を用いて当該連結ボルト８１を固定することにより、各管材７３を一体的に結束する（本結束具Ｋ３を使用した複脚構造体Ｆ３は、図９参照）。
【００５６】
また、４本の管材（図示せず）を結束する場合には、本結束具Ｋ３の上面開口部の内側から斜め下方に向けて、第１帯状部３１の第１案内孔３８ａを利用しながら、４本の連結ボルト８１を第１連結具装着孔３８に挿通する。そして、４本の管材の各連結具挿通孔に連結ボルト８１を挿通し、蝶ナット８２を用いて当該連結ボルト８１を固定することにより、各管材を一体的に結束する。
【００５７】
このように、本結束具Ｋ３によれば、２層の第１帯状部３１及び第２帯状部３２を備えており、各帯状部３１，３２における連結具装着孔３８，３７の形態が異なることから、１種類の本結束具Ｋ３のみで、種々の連結ボルト８１の規格に対応させて、容易に立設させた複数本の管材７３を結束することができるため、利便性を向上させることができる。
【００５８】
［第４実施形態］
（１）本結束具の構成
図７（ａ），（ｂ）に示すように、本結束具Ｋ４は、６本までの管材を結束するために用いられるものであり、中空の円柱形状である筒状体４０を主要部としている。
【００５９】
上記筒状体４０は、高さ方向における層厚が略同一である２層の第１帯状部４１及び第２帯状部４２から形成されている。
上部の第１帯状部４１には、第２実施形態の結束具Ｋ２と同様の形態で、第１連結具装着孔４８と第１案内孔４８ａが設けられている。
【００６０】
また、下部の第２帯状部４２には、同一の高さにおいて、周方向に等間隔となるように６箇所（筒状体４０の中心を基準として、等しい角度である６０度の位置）に正方形孔である第２連結具装着孔４９が形成されている。第２連結具装着孔４９は、連結ボルト８１の先端のネジ部８１ｂを貫通させることができる一方、その頭部８１ａを通過させずに固定できる寸法に形成されている（本実施形態では、第１連結具装着孔４８と第２連結具装着孔４９は同一形状に形成されている）。
【００６１】
上記第２連結具装着孔４９には、下面側の開口部から連結ボルト８１を挿通可能となるように、その上側に半円形状の案内孔４９ａが、円弧部が上向きに連設されている（本実施形態では、第１案内孔４８ａと第２案内孔４９ａは、その向きは異なるが、同一形状に形成されている）。
また、展開図７（ｂ）に示すように、中央の第１連結具装着孔４８の両側における２つの第１連結具装着孔４８Ａ，４８Ｂと、対応する２つの第２連結具貫通孔４９Ａ，４９Ｂとの水平位置が一致するように配置されている。
【００６２】
このような構成により、連結ボルト８１のネジ部８１ｂを、筒状体４０の上面側の開口部及び下面側の開口部の双方から、近接する第１案内孔４８ａ及び第２案内孔４９ａに向けて斜め下方又は斜め上方から挿通し、所定長の挿通が終了した段階でその向きを水平方向に変えることにより、連結具装着孔４８，４９に向けて挿入し易くなっている。
【００６３】
（２）本結束具の作用効果
上記のように、本結束具Ｋ４は、６本までの管材を結束することができることに特徴を有しており、その作用効果を説明する。
【００６４】
例えば、４本の管材（図示せず）を結束する場合には、本結束具Ｋ４の上面開口部の内側から斜め下方に向けて、第１帯状部４１の第１案内孔４８ａを利用しながら、４本の連結ボルト８１を第１連結具装着孔４８に挿通する。そして、４本の管材の各連結具挿通孔に連結ボルト８１を挿通し、蝶ナット８２を用いて当該連結ボルト８１を固定することにより、各管材を一体的に結束する。
【００６５】
また、６本の管材７４を結束する場合には、本結束具Ｋ４の下面内側から斜め上方に向けて、第２帯状部４２の第２案内孔４９ａを利用しながら、６本の連結ボルト８１を第２連結具装着孔４９に挿通する。そして、６本の管材７４の各連結具挿通孔７４ａに連結ボルト８１を挿通し、蝶ナット８２を用いて当該連結ボルト８１を固定することにより、各管材７４を一体的に結束する（本結束具Ｋ４を使用した複脚構造体Ｆ４は、図１０参照）。
【００６６】
このように、本結束具Ｋ４によれば、２層の第１帯状部４１及び第２帯状部４２を備えている。各帯状部４１，４２における連結具装着孔４８，４９の形態が異なることから、１種類の本結束具Ｋ４のみで、種々の連結ボルト８１の規格に対応させて、容易に立設させた複数本の管材７４を結束することができるため、利便性を向上させることができる。
【００６７】
［第５実施形態］
（１）本結束具の構成
図８（ａ），（ｂ）に示すように、本結束具Ｋ５は、５本までの管材を結束するために用いられるものであり、中空の円柱形状である筒状体５０を主要部としている。
【００６８】
上記筒状体５０は、高さ方向における層厚が略同一である３層の第１帯状部５１乃至第３帯状部５３から形成されている。
上部の第１帯状部５１には、第２実施形態の本結束具Ｋ２と同様の形態で、第１連結具装着孔５８と第１案内孔５８ａ（請求項における案内孔に相当）が設けられている。また、中間部の第２帯状部５２には、第１実施形態の本結束具Ｋ１と同様の形態で、連結具貫通孔５６と第２連結具装着孔５７が設けられている。
【００６９】
さらに、下部の第３帯状部５３には、第４実施形態の本結束具Ｋ４における第２帯状部４２と類似の形態で、第３連結具装着孔５９と第３案内孔５９ａ（請求項における他の案内孔に相当）が設けられている。すなわち、本結束具Ｋ５と第４実施形態の本結束具Ｋ４とでは、連結具装着孔の個数が異なっており、第３帯状部５３には、同一の高さにおいて、周方向に等間隔となるように５箇所（筒状体５０の中心を基準として、等間隔である７２度の位置）に正方形孔である第３連結具装着孔５９が形成されている。
【００７０】
また、展開図８（ｂ）に示すように、上記第１帯状部５１における中央部の第１連結具装着孔５８Ａと、第２帯状部５２における中央部の連結具貫通孔５６Ａ（図８（ｂ））の水平位置が一致するように配置されている。また、第３帯状部５３における中央部の２つの第３連結具貫通孔５９Ａ，５９Ｂの中間位置に、中央部の連結具貫通孔５６Ａが配置されている。
【００７１】
このような構成により、第１帯状部５１及び第３帯状部５３を使用して、連結ボルト８１のネジ部８１ｂを、筒状体５０の上面側の開口部及び下面側の開口部の双方から、近接する第１案内孔５８ａ及び第３案内孔５９ａに向けて斜め下方又は上方から挿通し、所定長の挿通が終了した段階でその向きを水平方向に変えることにより、第１連結具装着孔５８及び第３連結具装着孔５９に向けて挿入し易くなるように形成されている。
【００７２】
また、第２帯状部５２を使用して、連結ボルト８１を、筒状体５０の外側から連結具貫通孔５６を通して、第２連結具装着孔５７に向けて、挿入することができるようになっている。
【００７３】
（２）本結束具の作用効果
上記のように、本結束具Ｋ５は、５本までの管材を結束することができることに特徴を有しており、その作用効果を説明する。
【００７４】
例えば、３本の管材（図示せず）を結束する場合には、本結束具Ｆ５の第２帯状部５２の各連結具貫通孔５６を通して、３本の連結ボルト８１を対向する第２連結具装着孔５７に挿通する。そして、３本の管材の各連結具挿通孔に連結ボルト８１を挿通し、蝶ナット８２を用いて当該連結ボルト８１を固定することにより、各管材を一体的に結束する。
【００７５】
また、４本の管材７５を結束する場合には、本結束具Ｋ５の上面内側から斜め下方に向けて、第１帯状部５１の第１案内孔５８ａを利用して、連結ボルト８１を第１連結具装着孔５８に挿通する。そして、４本の管材の各連結具挿通孔７５ａに連結ボルト８１を挿通し、蝶ナット８２を用いて当該連結ボルト８１を固定することにより、各管材７５を一体的に結束する（本結束具Ｋ５を使用した複脚構造体Ｆ５は、図１１参照）。
【００７６】
さらに、５本の管材（図示せず）を結束する場合には、本結束具Ｋ５の下面内側から斜め下方に向けて、第３帯状部５３の第３案内孔５９ａを利用して、連結ボルト８１を第３連結具装着孔５９に挿通する。そして、５本の管材の各連結具挿通孔に連結ボルト８１を挿通し、蝶ナット８２を用いて当該連結ボルト８１を固定することにより、各管材を一体的に結束する。
【００７７】
このように、本結束具Ｋ５によれば、第１帯状部５１乃至第３帯状部５３の３層の帯状部を備えており、各帯状部５１〜５３における各連結具装着孔５７〜５９の形態が異なることから、１種類の本結束具Ｋ５のみで種々の連結ボルト８１の規格に対応させて、容易に立設させた複数本の管材を並列させて結束することができる。
【００７８】
［その他の本複脚構造体の実施形態］
本結束具を用いたその他の本複脚構造体の実施形態について説明する。
図９に示すように、本複脚構造体Ｆ３（第３実施形態）は、組立式の椅子であり、第３実施形態の本結束具Ｋ３の第２帯状部３２を用い（図６）、同一長さである３本の管材７３を略中間高さ位置の部分に介装させて結束し、上部に椅子用布材９１を設けることにより形成されている。
【００７９】
また、図１０に示すように、本複脚構造体Ｆ４（第４実施形態）は、組立式の机であり、第４実施形態の本結束具Ｋ４の第２帯状部４２を用い（図７）、同一長さである６本の管材７４を略中間高さ位置の部分に介装させて結束し、上部に天板９２を設けることにより形成されている。
【００８０】
また、図１１に示すように、本複脚構造体Ｆ５（第５実施形態）は、組立式の机であり、第５実施形態の本結束具Ｋ５の第１帯状部５１を用い（図８）、同一長さである４本の管材７５を略中間高さ位置の部分に介装させて結束し、上部に天板９３を設けることにより形成されている。
【００８１】
このように、種々の実施形態の本結束具と管材を、その用途に応じて適宜に選択し使用することにより、多種類の複脚構造体を作成することができる。
【００８２】
［本複脚構造体の組立キット］
所定枢の連結ボルト８１と、所定本数の連結具挿通孔を備える管体７２〜７５と、上記第１実施形態乃至第５実施形態のいずれか１項に記載の結束具Ｋ１〜Ｋ５と、必要により、用途に応じた椅子用布材、天板等を一組として組立キットとて提供することもできる。
【００８３】
以上、本発明について、好適な実施形態についての一例を説明したが、本発明は当該実施形態に限られず、その趣旨を逸脱しない範囲で適宜設計変更が可能である。
【００８４】
例えば、各要素の材質、形態等は、用途及び棒状部材の規格等に応じて、適切に選択可能である。また、各連結具貫通孔、各連結具装着孔、案内孔、連結具挿通孔の形態、間隔、帯状部の層数及び高さ等についても適切に設計が可能である。特に、連結具の形状に応じて、嵌装しやすいように、各連結具貫通孔、各連結具装着孔、案内孔を形成することができる。
【００８５】
さらに、本複脚構造体の種類についても制限はなく、結束具の位置等も、複脚構造体の用途に応じて、棒状部材の頂部（その近傍）、中間部等、適切な位置に設けることができる。
【符号の説明】
【００８６】
Ｋ１，Ｋ２，Ｋ３，Ｋ４，Ｋ５      結束具
Ｆ１，Ｆ２，Ｆ３，Ｆ４，Ｆ５      複脚構造体
１０，２０，３０，４０，５０      筒状体
１６，３６，５６      連結具貫通孔
１７，２８      連結具装着孔
２８ａ，３８ａ    案内孔
３１，４１，５１      第１帯状部
３２，４２，５２      第２帯状部
３７，４９，５７      第２連結具装着孔
３８，４８，５８      第１連結具装着孔
４８ａ，５８ａ    第１案内孔
４９ａ    第２案内孔
５３      第３帯状部
５９      第３連結具装着孔
５９ａ    第３案内孔
７１      竹材（棒状部材）
７１ａ，７３ａ，７４ａ，７５ａ，７７ａ    連結具挿通孔
７２，７３，７４，７５      管材（棒状部材）
７７      ジョイント金具
８１      連結ボルト（連結具）
【図１】
2017180547.tif 000003
【図２】
2017180547.tif 000004
【図３】
2017180547.tif 000005
【図４】
2017180547.tif 000006
【図５】
2017180547.tif 000007
【図６】
2017180547.tif 000008
【図７】
2017180547.tif 000009
【図８】
2017180547.tif 000010
【図９】
2017180547.tif 000011
【図１０】
2017180547.tif 000012
【図１１】
2017180547.tif 000013
【手続補正書】
【提出日】平成28年12月18日(2016.12.18)
【手続補正１】
【補正対象書類名】特許請求の範囲
【補正対象項目名】全文
【補正方法】変更
【補正の内容】
【特許請求の範囲】
【請求項１】
筒状体を備える、複数の棒状部材を結束するための結束具において、
前記筒状体は、高さ方向における２層の帯状部から形成されており、
前記２層の帯状部は、
複数個の連結具の第１の装着孔を有し、かつ、前記第１の装着孔には、一面側の開口部から前記連結具を挿通する際において、当該連結具を誘導するための案内孔が連設されている第１帯状部と、
複数個の連結具の貫通孔と、
前記各々の貫通孔に対向する部位に形成されている、複数個の前記連結具の第２の装着孔と、を有する第２帯状部と、を有し、
前記各装着孔の部分において、前記連結具を固定可能となるように形成されていることを特徴とする結束具。
【請求項２】
筒状体を備える、複数の棒状部材を結束するための結束具において、
前記筒状体は、高さ方向における２層の帯状部から形成されており、
前記２層の帯状部は、
複数個の連結具の第１の装着孔を有し、かつ、前記第１の装着孔には、一面側の開口部から前記連結具を挿通する際において、当該連結具を誘導するための第１の案内孔が連設されている第１帯状部と、
複数個の連結具の第２の装着孔を有し、かつ、前記第２の装着孔には、一面側の開口部から前記連結具を挿通する際において、当該連結具を誘導するための第２の案内孔が連設されている第２帯状部と、を有し、
前記各装着孔の部分において、前記連結具を固定可能となるように形成されていることを特徴とする結束具。
【請求項３】
筒状体を備える、複数の棒状部材を結束するための結束具において、
前記筒状体は、高さ方向における３層以上である複数層の帯状部から形成されており、
前記帯状部は、少なくとも、
複数個の連結具の第１の装着孔を有し、かつ、前記第１の装着孔には、一面側の開口部から前記連結具を挿通する際において、当該連結具を誘導するための案内孔が連設されている第１帯状部と、
複数個の連結具の貫通孔と、
前記各々の貫通孔に対向する部位に形成されている、複数個の前記連結具の第２の装着孔と、を有する第２帯状部と、
複数個の連結具の第３の装着孔を有し、かつ、前記第３の装着孔には、一面側の開口部から前記連結具を挿通する際において、当該連結具を誘導するための他の案内孔が連設されている第３帯状部と、を有し、
前記各装着孔の部分において、前記連結具を固定可能となるように形成されていることを特徴とする結束具。
【請求項４】
所定数の棒状部材と、請求項１乃至請求項３のいずれか１項に記載の結束具とを備える複脚構造体であって、
前記各棒状部材は、前記連結具を挿通するための連結具挿通孔を備え、
前記結束具の前記各装着孔と、前記連結具挿通孔とに、前記連結具が挿入された状態で前記棒状部材と前記筒状体とが固定されていることを特徴とする複脚構造体。
【請求項５】
所定数の連結具と、所定数の前記連結具を挿通するための連結具挿通孔を備える棒状部材と、請求項１乃至請求項３のいずれか１項に記載の結束具とを備えることを特徴とする複脚構造体の組み立てキット。
【手続補正２】
【補正対象書類名】明細書
【補正対象項目名】０００８
【補正方法】変更
【補正の内容】
【０００８】
上記目的を達成するための本発明の結束具（権利請求外）は、筒状体を備える、複数の棒状部材を結束するための結束具において、上記筒状体は、複数個の連結具の貫通孔と、上記各々の貫通孔に対向する部位に形成されている、複数個の上記連結具の装着孔とを有し、上記装着孔に上記連結具を固定可能となるように形成されていることを特徴とするものである。
【手続補正３】
【補正対象書類名】明細書
【補正対象項目名】００１２
【補正方法】変更
【補正の内容】
【００１２】
また、本発明の結束具（権利請求外）は、筒状体を備える、複数の棒状部材を結束するための結束具において、上記筒状体は、複数個の連結具の装着孔を有し、上記装着孔には、一面側の開口部から上記連結具を挿通する際において、当該連結具を誘導するための案内孔が連設されており、上記装着孔に上記連結具を固定可能となるように形成されていることを特徴としている。
【手続補正４】
【補正対象書類名】明細書
【補正対象項目名】００３１
【補正方法】変更
【補正の内容】
【００３１】
［第１実施形態（権利請求外）］
（１）本結束具の構成
図１（ａ），（ｂ）に示すように、本結束具Ｋ１は、３本までの棒状部材（竹材７１）を結束するために用いられるものであり、中空の円柱形状である筒状体１０を主要部としている。
【手続補正５】
【補正対象書類名】明細書
【補正対象項目名】００４２
【補正方法】変更
【補正の内容】
【００４２】
［第２実施形態（権利請求外）］
（１）本結束具の構成
図４（ａ），（ｂ）に示すように、本結束具Ｋ２は、４本までの棒状部材（スチール製の管材７２）を結束するために用いられるものであり、中空の円柱形状である筒状体２０を主要部としている。
【手続補正６】
【補正対象書類名】明細書
【補正対象項目名】００８２
【補正方法】変更
【補正の内容】
【００８２】
［本複脚構造体の組立キット］
所定数の連結ボルト８１と、所定本数の連結具挿通孔を備える管体７３〜７５と、上記第３実施形態乃至第５実施形態のいずれか１項に記載の結束具Ｋ３〜Ｋ５と、必要により、用途に応じた椅子用布材、天板等を一組として組立キットとて提供することもできる。